(57)【要約】【課題】プロジェクタにおいて、駆動開始直後にランプに流れる電流を制限してランプの寿命を確保しつつ、ランプが駆動開始から定常駆動するまでの時間を短縮する。【解決手段】プロジェクタのランプ２は、制御部７の制御を受けてバラスト３により駆動される。バラスト３は、ランプ２に供給する電力を制御する電力制御部３ａと、電流制限回路３ｂと、電圧検知部３ｃとを有している。ランプ２が駆動開始されると、電流制限回路３ｂは、ランプ２に流れる電流が定常駆動時より小さくなるように電流制限を行い、ランプ２を保護する。電圧検知部３ｃにより検知されるランプ２の電圧値が、定常駆動時より小さい所定の電圧値に達すると、電流制限回路３ｂが電流制限を解除し、ランプ２が定常駆動される。【選択図】図２
2007322456.tif 000002
【特許請求の範囲】
【請求項１】
画像投影用の光を出射するランプと、
このランプに電力を供給して駆動させるバラストと、
前記ランプから出射された光をデジタルマイクロミラーデバイスで反射させることにより画像を形成し、形成した画像を外部スクリーンに投影する機能を有する画像形成部と、
外部から画像データが入力される信号入力部と、
前記画像形成部を制御して、前記信号入力部に入力された画像データに基づく画像を形成させる機能を有する制御部とを備え、
前記バラストは、
前記ランプへの電力供給を制御し、前記ランプを駆動する電力制御部と、
前記ランプの駆動開始後のウオームアップ期間に、前記電力制御部に対し、前記ランプに流れる電流が所定値以下になるように電流制限を行い、前記ランプの寿命を確保する電流制限回路とを有するプロジェクタにおいて、
前記バラストは、前記ランプの電圧を検知する電圧検知部をさらに有し、
前記電流制限回路は、前記電流制限を行っている期間に、電圧検知部により検知された前記ランプの電圧が、予め設定された前記ランプの定常駆動時の電圧よりも小さい所定値に到達したときに、前記電流制限を解除し、
それによって前記ランプの駆動開始直後のウオームアップ期間を短縮可能であることを特徴とするプロジェクタ。
【請求項２】
画像投影用の光を出射するランプと、
このランプに電力を供給して駆動させるバラストと、
前記ランプから出射された光を用いて、スクリーンに投影する画像を形成する機能を有する画像形成部と、
前記信号入力部に入力された画像データに基づいた画像を前記画像形成部に形成させる機能を有する制御部とを備え、
前記バラストは、
前記ランプへの電力供給を制御し、前記ランプの駆動開始後、前記ランプに流れる電流が所定値以下になるように電流制限を行うプロジェクタにおいて、
前記バラストは、前記ランプの電圧を検知し、電流制限を行っている期間に、前記ランプの電圧が予め設定された所定値になったとき、前記電流制限を解除することを特徴とするプロジェクタ。
【請求項３】
画像投影用の光を出射するランプと、
このランプに電力を供給して駆動させるバラストと、
前記ランプから出射された光をデジタルマイクロミラーデバイスで反射させることにより画像を形成し、形成した画像を外部スクリーンに投影する機能を有する画像形成部と、
外部から画像データが入力される信号入力部と、
前記画像形成部を制御して、前記信号入力部に入力された画像データに基づく画像を形成させる機能を有する制御部とを備え、
前記バラストは、
前記ランプへの電力供給を制御し、前記ランプを駆動する電力制御部と、
前記ランプの駆動開始後のウオームアップ期間に、前記電力制御部に対し、前記ランプに流れる電流が所定値以下になるように電流制限を行い、前記ランプの寿命を確保する電流制限回路とを有するプロジェクタにおいて、
前記バラストは、前記ランプの近傍部位の温度を検知する温度検知部をさらに有し、
前記電流制限回路は、前記電流制限を行っている期間に、前記温度検知部により検知された温度が、予め定められた、前記ランプがその定常駆動時の温度よりも低い所定温度であることを示す温度に到達したときに、前記電流制限を解除し、
それによって前記ランプの駆動開始直後のウオームアップ期間を短縮可能であることを特徴とするプロジェクタ。
【請求項４】
画像投影用の光を出射するランプと、
このランプに電力を供給して駆動させるバラストと、
前記ランプから出射された光を用いて、スクリーンに投影する画像を形成する機能を有する画像形成部と、
前記信号入力部に入力された画像データに基づいた画像を前記画像形成部に形成させる機能を有する制御部とを備え、
前記バラストは、
前記ランプへの電力供給を制御し、前記ランプの駆動開始後、前記ランプに流れる電流が所定値以下になるように電流制限を行うプロジェクタにおいて、
前記バラストは、前記ランプの温度を検知し、電流制限を行っている期間に、前記ランプの温度が予め設定された所定値になったとき、前記電流制限を解除することを特徴とするプロジェクタ。
【発明の詳細な説明】
【技術分野】
【０００１】
本発明は、画像をスクリーンに投影するプロジェクタに関する。
【背景技術】
【０００２】
従来より、スクリーンにパーソナルコンピュータ等の画像を投影する用途に用いられるプロジェクタにおいては、ランプの寿命が長くなるように種々の工夫がなされている。例えば、ランプの駆動開始直後に、定常駆動時と比較して温度が低いランプに大きな電力が供給されると、電極に大きな負担がかかり、ランプの寿命が短くなってしまう。そのため、従来のプロジェクタの中には、ランプの駆動が開始されてからランプが安定して発光できるようになるまで、ランプに供給する電力を制限するウオームアップ期間を設けたものがある。
【０００３】
図６及び図７を用いて、上述のような従来のプロジェクタの動作の一例について説明する。図６に示すように、このプロジェクタのランプ８２は、バラスト８３により駆動される。バラスト８３は、ランプ８２に供給する電力を制御する電力制御部８３ａと、ランプ８２の駆動開始直後にランプ８２に流れる電流を制限するための電流制限回路８３ｂと、電流制限回路８３ｂによる電流制限する時間を計時するタイマ回路８３ｃとを有している。電流制限回路８３ｂは、ランプ８２に流れる電流が、ランプ８２の電極にダメージを与えることがない所定値以下になるように、電流制限を行うように構成されている。すなわち、この従来のプロジェクタは、ランプ８２の駆動開始から、タイマ回路８３ｃが計時する所定のタイマ時間が経過するまでランプ８２に流れる電流を制限することにより、ランプ８２の電極等を保護し、ランプ８２の寿命を確保することができるように構成されている。
【０００４】
ランプ８２は、図７のＡで示す時点から、ランプ８２に流れる電流が電流制限回路８３ｂにより制限された状態で駆動される。駆動開始されると、ランプ８２の温度が上がるにつれ、ランプ８２から発光される光が安定すると共に、ランプ８２の電圧が上昇していく。そして、図７のＢで示す時点（時刻ｔ１）から、ランプ８２の電圧の値がＶｒになり、その後電圧が安定する。ランプ８２の駆動開始から、タイマ回路８３ｃにより計時された所定のタイマ時間が経過すると（時刻ｔ２）、電流制限回路８３ｂが電流制限を解除する。その後、図のＣで示す時点から、ランプ８２はランプ８２の定格の電力で駆動され、ランプ８２の電圧がＶｒから上昇する。そして、図のＤで示す時点（時刻ｔ３）になると、ランプ８２の電圧が定常状態であるＶｓとなり、ランプ８２が安定した光を出射するようになり、ウオームアップ期間が終了する。
【０００５】
ここで、プロジェクタに搭載されるランプ８２においては、駆動してからランプ８２の電圧がＶｒで安定するまでの時間が個々に異なる。例えば、ランプ８２によっては、図７の２点鎖線で示すように、ランプ８２の電圧がＶｒに達する（図のＢ’で示す時点）時刻が時刻ｔ１より遅い時刻ｔ１’になったり、電流制限が解除されてからランプ８２の電圧が上昇しにくく、ウオームアップ期間の終了が時刻ｔ３より遅い時刻ｔ３’になったりすることがある。そのため、このプロジェクタにおいては、かかるランプ８２毎の電圧が安定するまでの時間の違いを考慮し、タイマ回路８３ｃには、ランプ８２のうち、最も電圧が安定するまでの時間がかかるものに応じたタイマ時間が設定されている。しかしながら、このプロジェクタでは、タイマ時間がランプ８２の最も電圧が安定するまでの時間がかかるものに応じて設定されているので、電圧が安定するまでの時間が短いランプ８２にとってはウオームアップ期間が必要以上に長すぎ、駆動開始から、定常駆動時の安定した光を出射可能になるまで時間がかかりすぎるという問題がある。
【０００６】
ところで、特許文献１には、放電灯のイグニッション直後の、定常電流よりも大きな大電流が流れる時間を減少させ、放電灯の短寿命化を防止したプロジェクタ装置が記載されている。しかしながら、この特許文献１のプロジェクタ装置は、イグニッション後にランプの電流が徐々に増加するように制御を行うものであり、構成が複雑なものとなる。また、特許文献２には、ランプの温度を温度センサにより測定し、その温度に応じてランプ内部圧力を算出し、その結果に応じてランプの最大電流値を制御する投射型ディスプレイが記載されている。しかしながら、特許文献２のディスプレイは、ランプの電圧が定常電圧となってからランプの温度に応じてランプの点灯装置の最大出力電流を変化可能とするものであり、ランプの電圧が定常状態となるまでの時間がかかりすぎるという上述の問題点に対して有効なものではない。
【０００７】
さらにまた、特許文献３には、ランプの点灯開始からランプの電極にアークスポットが形成され始めるランプ電圧になるまでに大きな電流を流すように構成されたプロジェクタ装置が記載されている。しかしながら、このようなプロジェクタ装置は、上述のようにランプ毎に電圧の上がりやすさが異なる場合に、ランプのウオームアップ期間を短縮するものではなく、また、ランプ電極が損傷しないように、ランプ点灯直後の大電流を流す期間を、予め実験等を通じて適切に設定しなければならず、上述の問題点を解決するために容易に適用可能なものではない。
【特許文献１】ＷＯ２００２／１０２１２０号公報
【特許文献２】特開２００１−３１３１９５号公報
【特許文献３】特開２００５−３２７１１号公報
【発明の開示】
【発明が解決しようとする課題】
【０００８】
本発明は、上記問題点を鑑みてなされたものであり、駆動開始直後にランプに流れる電流を制限してランプの寿命を確保しつつ、ランプが駆動開始から定常駆動するまでの時間を短縮可能なプロジェクタ装置を提供することを目的とする。
【課題を解決するための手段】
【０００９】
上記目的を達成するため請求項１の発明は、画像投影用の光を出射するランプと、このランプに電力を供給して駆動させるバラストと、前記ランプから出射された光をデジタルマイクロミラーデバイスで反射させることにより画像を形成し、形成した画像を外部スクリーンに投影する機能を有する画像形成部と、外部から画像データが入力される信号入力部と、前記画像形成部を制御して、前記信号入力部に入力された画像データに基づく画像を形成させる機能を有する制御部とを備え、前記バラストは、前記ランプへの電力供給を制御し、前記ランプを駆動する電力制御部と、前記ランプの駆動開始後のウオームアップ期間に、前記電力制御部に対し、前記ランプに流れる電流が所定値以下になるように電流制限を行い、前記ランプの寿命を確保する電流制限回路とを有するプロジェクタにおいて、前記バラストは、前記ランプの電圧を検知する電圧検知部をさらに有し、前記電流制限回路は、前記電流制限を行っている期間に、電圧検知部により検知された前記ランプの電圧が、予め設定された前記ランプの定常駆動時の電圧よりも小さい所定値に到達したときに、前記電流制限を解除し、それによって前記ランプの駆動開始直後のウオームアップ期間を短縮可能であるものである。
【００１０】
請求項２の発明は、画像投影用の光を出射するランプと、このランプに電力を供給して駆動させるバラストと、前記ランプから出射された光を用いて、スクリーンに投影する画像を形成する機能を有する画像形成部と、前記信号入力部に入力された画像データに基づいた画像を前記画像形成部に形成させる機能を有する制御部とを備え、前記バラストは、前記ランプへの電力供給を制御し、前記ランプの駆動開始後、前記ランプに流れる電流が所定値以下になるように電流制限を行うプロジェクタにおいて、前記バラストは、前記ランプの電圧を検知し、電流制限を行っている期間に、前記ランプの電圧が予め設定された所定値になったとき、前記電流制限を解除するものである。
【００１１】
請求項３の発明は、画像投影用の光を出射するランプと、このランプに電力を供給して駆動させるバラストと、前記ランプから出射された光をデジタルマイクロミラーデバイスで反射させることにより画像を形成し、形成した画像を外部スクリーンに投影する機能を有する画像形成部と、外部から画像データが入力される信号入力部と、前記画像形成部を制御して、前記信号入力部に入力された画像データに基づく画像を形成させる機能を有する制御部とを備え、前記バラストは、前記ランプへの電力供給を制御し、前記ランプを駆動する電力制御部と、前記ランプの駆動開始後のウオームアップ期間に、前記電力制御部に対し、前記ランプに流れる電流が所定値以下になるように電流制限を行い、前記ランプの寿命を確保する電流制限回路とを有するプロジェクタにおいて、前記バラストは、前記ランプの近傍部位の温度を検知する温度検知部をさらに有し、前記電流制限回路は、前記電流制限を行っている期間に、前記温度検知部により検知された温度が、予め定められた、前記ランプがその定常駆動時の温度よりも低い所定温度であることを示す温度に到達したときに、前記電流制限を解除し、それによって前記ランプの駆動開始直後のウオームアップ期間を短縮可能であるものである。
【００１２】
請求項４の発明は、画像投影用の光を出射するランプと、このランプに電力を供給して駆動させるバラストと、前記ランプから出射された光を用いて、スクリーンに投影する画像を形成する機能を有する画像形成部と、前記信号入力部に入力された画像データに基づいた画像を前記画像形成部に形成させる機能を有する制御部とを備え、前記バラストは、前記ランプへの電力供給を制御し、前記ランプの駆動開始後、前記ランプに流れる電流が所定値以下になるように電流制限を行うプロジェクタにおいて、前記バラストは、前記ランプの温度を検知し、電流制限を行っている期間に、前記ランプの温度が予め設定された所定値になったとき、前記電流制限を解除するものである。
【発明の効果】
【００１３】
請求項１の発明によれば、電流制限回路が、電流制限を行っているウオームアップ期間において、電圧検知部により検知されたランプの電圧が予め設定された所定値に到達したときに、電流制限を解除するので、電圧が安定するまでの時間が短いランプは、すぐに定常駆動時の電力で駆動されて安定した光を出射可能になる。従って、駆動開始直後にランプに流れる電流を制限してランプの寿命を確保しつつ、ランプのウオームアップ期間を短縮することが可能になり、ランプの駆動開始から画像形成部により投影される画像が安定するまでの時間を短縮することが可能になる。また、ランプのウオームアップ期間を短縮するために、別途センサ等を設ける必要がなく、簡易で低コストな構成により、ランプのウオームアップ時間を短縮することが可能になる。
【００１４】
請求項２の発明によれば、ランプの電圧が予め設定された所定値になったとき、電流制限を解除するので、上述と同様に、ランプの駆動開始から画像形成部により投影される画像が安定するまでの時間を短縮することが可能になる。また、ランプのウオームアップ期間を短縮するために、別途センサ等を設ける必要がなく、簡易で低コストな構成により、ランプのウオームアップ時間を短縮することが可能になる。
【００１５】
請求項３の発明によれば、電流制限回路が、電流制限を行っているウオームアップ期間において、温度検知部により検知された温度が、予め定められた、ランプがその定常駆動時の温度よりも低い所定温度であることを示す温度に到達したときに、電流制限を解除するので、温度が上がりやすく、電圧が安定するまでの時間が短いランプは、すぐに定常駆動時の電力で駆動されて安定した光を出射可能になる。従って、駆動開始直後にランプに流れる電流を制限してランプの寿命を確保しつつ、ランプのウオームアップ期間を短縮することが可能になり、ランプの駆動開始から画像形成部により投影される画像が安定するまでの時間を短縮することが可能になる。
【００１６】
請求項４の発明によれば、ランプの温度が予め設定された所定値になったとき、電流制限を解除するので、上述と同様に、ランプの駆動開始から画像形成部により投影される画像が安定するまでの時間を短縮することが可能になる。
【発明を実施するための最良の形態】
【００１７】
以下、本発明の第１の実施形態について図面を参照して説明する。図１は、第１の実施形態に係るプロジェクタ１を示す。プロジェクタ１は、例えば放電灯等のランプ２と、ランプ２を駆動するバラスト３と、ランプ２から出射された光を用いて画像を形成する画像形成部４と、外部から画像データが入力される信号入力部５と、外部から操作可能に設けられた操作入力部６と、プロジェクタ１の各部を制御するマイコンやメモリ等により構成された制御部７と、外部の商用電源に接続された電源部８と、送風部９とを備えている。このプロジェクタ１は、例えば外部のパーソナルコンピュータ等に接続されて用いられる。プロジェクタ１は、このパーソナルコンピュータ等から信号入力部５を介して入力される画像データに基づいて画像を形成し、その画像を、例えば外部に設置されたスクリーン（図示せず）に投影する機能を有しているものである。
【００１８】
本実施形態において、画像形成部４は、信号入力部５に入力された画像データに基づいて制御部７に制御され、例えばデジタルマイクロミラーデバイス（以下、ＤＭＤと称する）を用いて、その画像データに応じた画像を形成するように構成されている。画像形成部４により形成された画像は、ズーム、フォーカス等を行うことができるように構成されたレンズ４ａを介して、外部のスクリーン等に向け投影されるように構成されている。画像形成部４は、ＤＭＤと、ランプ２から出射された光をカラー画像を形成するための複数の色に変更するためのカラーホイールと、カラーホイールを回転させるためのモータと、制御部７による制御を受けてこれらを駆動するための駆動ドライバ等を有している。画像形成部４は、カラーホイールにより、ランプ２から出射された光の色を変更させながらＤＭＤに照射し、画像データに基づいて駆動されるＤＭＤにより、ランプ２から照射された光を、各色毎に、順次繰り返して、外部のスクリーン上に投影するように構成されている。
【００１９】
操作入力部６は、例えば、プロジェクタ１の筐体に、外部からユーザにより操作可能に配置された操作ボタン状のものである。このプロジェクタ１は、操作入力部６が外部から操作されることにより、制御部７が、その操作に応じた制御を行うように構成されている。すなわち、ユーザは、操作入力部６を操作することにより、プロジェクタ１の動作を操作可能である。なお、操作入力部６は、例えば、筐体に設けられた受光部とユーザが操作可能なリモートコントローラとにより構成され、受光部とリモートコントローラとの間の赤外線通信等によりユーザがプロジェクタ１を遠隔操作可能にも構成されているものであってもよい。
【００２０】
送風部９は、ファン、このファンを回転させるモータ、及びモータを駆動するモータドライバ等で構成されている。送風部９は、ファンを回転させることにより、プロジェクタ１の筐体内部に外気を流入させると共に筐体内部の空気を外部に排気し、プロジェクタ１の駆動により発熱する、ランプ２や電源部８等の、種々の部位の過熱を防止する。この送風部９の動作は、例えば制御部７により制御され、駆動中のランプ２の温度が適温に保たれるように構成されている。
【００２１】
図２は、このプロジェクタ１のバラスト３の構成を示す。バラスト３は、電力制御部３ａと、電流制限回路３ｂと、電圧検知部３ｃとを有する電気回路で構成されており、制御部７の制御に基づいて、ランプ２を駆動する。電力制御部３ａは、ランプ２への電力供給を制御する。例えば、ランプ２の定格が２００ワットである場合に、電力制御部３ａは、ランプ２の定常駆動時にランプ２に供給する電力が２００ワット程度になるように制御する。電流制限回路３ｂは、ランプ２の駆動開始後に、電力制御部３ａに対して、ランプ２に流れる電流が所定値以下になるように電流制限を行う。電圧検知部３ｃは、ランプ２の駆動時の電圧を検知可能に構成されている。本実施形態において、電流制限回路３ｂは、ランプ２が駆動中で電流制限を行っているとき、電圧検知部３ｃにより検知されたランプ２の電圧が、予め設定された所定値に到達したときに、電流制限を解除するように構成されている。
【００２２】
図３を用いて、このプロジェクタ１の駆動開始時の、ランプ２の駆動動作について説明する。なお、図３の２点鎖線は、駆動開始から電圧が安定するまでの時間がランプ２よりも長い別のランプについての電圧及び電流の推移を示す。ランプ２は、電力制御部３ａから電力が供給されて駆動開始される（図のＡで示す時点）。このとき、ランプ２は定常駆動時と比較して低温であり、ランプ２の電圧は、例えば１０ボルト程度である。ランプ２に流れる電力は、図に示すように、電流制限回路３ｂによって、定常駆動時にランプ２に流れる電流の値（例えば、３乃至５アンペア程度）よりも小さい所定の電流値（例えば、２アンペア程度）より大きくならないように制限されている。このように、ランプ２に流れる電流を制限するウオームアップ期間を設けることにより、ランプ２の電極を保護し、ランプ２の寿命を確保することが可能になる。ランプ２が駆動開始されて光を出射すると、時間の経過と共にランプ２の温度が上昇する。そして、ランプ２の電圧は、図に示すように、時間の経過と共に上昇する（図のＡ乃至Ｂで示す部分）。
【００２３】
電流制限回路３ｂには、予め、電流制限が行われているときの、ランプ２の電圧が安定する電圧値として、ランプ２の定常駆動時の電圧値Ｖｓ（例えば、７０ボルト程度）よりも小さいＶｒ（例えば、４０ボルト程度）が設定されている。本実施形態において、ランプ２の駆動開始後の時刻ｔ１に、ランプ２の電圧がＶｒに達したことを電圧検知部３ｃが検知すると、電流制限回路３ｂは、その直後の時刻ｔ２に、ランプ２に流れる電流の電流制限を解除する。（図のＣで示す時点）。電流制限が解除されると、ランプ２に流れる電流は、電力制御部３ａの定常駆動時の制御に基づいた電流値になり、ランプ２により出射される光が明るくなり、図に示すように、ランプ２の電圧がＶｒから時間の経過と共に上昇する（図のＣ乃至Ｄで示す部位）。そして、時刻ｔ３には、ランプ２の電圧が定常駆動時の電圧であるＶｓに達して安定し（図のＤで示す部位）、時刻ｔ３から後には、ランプ２が、安定して光を出射可能な定常駆動状態で、所定の駆動電力にて駆動される。すなわち、時刻ｔ３に、ランプ２の駆動開始からのウオームアップ期間が終了し、その後、ランプ２が安定して光を出射することにより、画像形成部４により形成されて投影される画像が安定したものになる。
【００２４】
ここで、このプロジェクタ１において、例えば、ランプ２よりも駆動開始から電圧が安定するまでの時間が長い別のランプを用いた場合には、図の２点差線で示すように、ランプの電圧が時刻ｔ１’にＶｒに達した後、電流制限回路３ｂにより時刻ｔ２’に電流制限が解除される。そして、電流制限が解除されてから、ランプ２の電圧が時間の経過と共に徐々に上昇し、時刻ｔ３’に、ランプ２の電圧がＶｓに達し、ランプ２が定常駆動される。なお、プロジェクタ１の動作の説明の便宜上、図の時刻ｔ１から時刻ｔ２まで、及び時刻ｔ１’から時刻ｔ２’までの時間間隔が開いているように示しているが、本実施形態においては、電圧検知部３ｃによりランプ２の電圧がＶｒとなったことが検知されてすぐに、電流制限回路３ｂが電流制限を解除するように構成されている。
【００２５】
このように、このプロジェクタ１においては、電流制限回路３ｂが電流制限を行っているウオームアップ期間中に、電圧検知部３ｃにより検知されたランプ２の電圧がＶｒに到達したときに、電流制限が解除されるので、電圧が安定するまでの時間が短いランプ２は、すぐに定常駆動時の電力で駆動され、すぐに安定した光を出射可能になる。従って、駆動開始直後にランプ２に流れる電流を制限してランプ２の寿命を確保しつつ、ランプ２のウオームアップ期間を短縮することが可能になり、ランプ２の駆動開始から画像形成部４により投影される画像が安定するまでの時間を短縮することが可能になる。また、ランプ２のウオームアップ期間を短縮するために、別途センサ等を設ける必要がなく、簡易で低コストな構成により、ランプ２のウオームアップ時間を短縮することが可能になる。
【００２６】
次に、本発明の第２の実施形態に係るプロジェクタについて、図４及び図５を参照して説明する。以下、上述の第１の実施形態と同様の構成部材のものは同一の符号を付し、第１の実施形態と相違する部分についてのみ説明する。第２の実施形態に係るプロジェクタは、ランプ２の電圧ではなく、ランプ２の温度を検知してランプ２の電流制限を解除する点で、上述の第１の実施形態のプロジェクタ１とは異なるものである。すなわち、第２の実施形態において、ランプ２の駆動開始後の電流制限を行っている期間に、ランプ２の温度が予め設定された所定値になったときに、電流制限を解除するように構成されている。
【００２７】
図４は、第２の実施形態に係るプロジェクタ１１のバラスト１３の構成を示す。バラスト１３は、電力制御部１３ａと、電流制限回路１３ｂと、温度検知部１３ｃとを有する電気回路で構成されている。温度検知部１３ｃは、例えばプロジェクタ１１の筐体内でランプ２を覆うランプボックス内に配置された、熱電対やサーミスタ等の温度検知素子１９を有している。すなわち、温度検知部１３ｃは、ランプボックス内の温度検知素子１９が設けられている部位の温度を検出可能に構成されている。ここで、電流制限回路１３ｂは、第１の実施形態と同様の電流制限を行っている期間に、温度検知部１３ｃにより検知された温度が、ランプ２が、その定常駆動時の温度よりも低い所定温度であることを示す温度（以下、トリガ温度と称する）に到達したときに、電流制限を解除するように構成されている。
【００２８】
このトリガ温度は、予め、例えば以下のようにして定められているものである。すなわち、例えば、ランプ２が放電灯である場合、ランプ２の発光部位近傍のガラス管部に熱電対等を巻きつけるようにして配置し、この熱電対によりランプ２の温度を直接測定可能な状態にする。また、ランプ２を覆うランプボックス内には、温度検知素子１９を、実際に搭載されるような状態で取り付ける。このようにランプ２の温度を直接測定しながらランプ２を実使用時の状態に近づけて駆動し、ランプ２の駆動時におけるランプ２の温度と、温度検知部１３ｃにより検知される温度とを対応させる。このとき、例えば、ランプ２の定常駆動時の温度は、およそ８５０℃程度であり、温度検知部１３ｃにより検知される温度は、１００℃程度とする。そして、このようにランプ２の温度と温度検知部１３ｃにより検知される温度とを対応させた後、トリガ温度として、この対応関係に基づいて、ランプ２のその定常駆動時の温度よりも低い所定温度（例えば、５００℃程度）に対応する、温度検知部１３ｃが検知する温度（例えば、８０℃程度）が定められる。このように、このプロジェクタにおいては、ランプ２の所定の温度に対応するトリガ温度を設定することにより、実際のプロジェクタの使用時にランプ２の温度を直接的に測定する必要をなくし、ランプ２により出射される光を画像を投影するために効率良く用いることができるような構成となっている。
【００２９】
図５は、温度検知部１３ｃが検知する、駆動開始後の温度を示す。図において、温度Ｔｓは、ランプ２の安定駆動時の、温度検知部１３ｃが検知する温度を示し、温度Ｔｒは、トリガ温度を示す。上述の第１の実施形態と同様に、ランプ２は、図のＡで示す時点から、電流制限回路１３ｂによりランプ２に流れる電流の値がランプ２の電極に損傷を与えないように所定値に制限された状態で、駆動開始される。駆動開始後、ランプ２の温度が上昇し、温度検知部１３ｃにより検知される温度が時刻ｔ１にトリガ温度に到達すると（図のＢで示す時点）、電流制限回路１３ｂは、その直後の時刻ｔ２に、ランプ２の電流制限を解除する（図のＣで示す時点）。そして、電流制限が解除されると、上述の第１の実施形態と同様に、ランプ２は電力制御部３ａによる定常駆動時の制御により駆動され、ランプ２により出射される光が明るくなってランプ２が安定駆動状態となるに伴い、温度検知部１３ｃが検知する温度もトリガ温度から上昇し、図のＤで示す時刻ｔ３以後、温度Ｔｓで定常状態となる。
【００３０】
このように、このプロジェクタ１においては、電流制限回路１３ｂが電流制限を行っている期間中に、温度検知部１３ｃにより検知された温度が、トリガ温度に到達したときに、電流制限が解除されるので、温度が上がりやすく、電圧が安定するまでの時間が短いランプ２は、すぐに定常駆動時の電力で駆動され、すぐに安定した光を出射可能になる。従って、駆動開始直後にランプ２に流れる電流を制限してランプ２の寿命を確保しつつ、ランプ２のウオームアップ期間を短縮することが可能になり、ランプ２の駆動開始から画像形成部４により投影される画像が安定するまでの時間を短縮することが可能になる。
【００３１】
なお、本発明は上記実施形態の構成に限定されるものではなく、発明の趣旨を変更しない範囲で適宜に種々の変形が可能である。例えば、画像形成部４は、ＤＭＤやカラーホイール等を用いず、例えば、ランプ２からの光をＲＧＢ３色等に分光し、各色をそれぞれ液晶パネルを透過させて再び合成することによりカラー画像等を形成するように構成されていてもよい。
【００３２】
また、例えば、第２の実施形態において、温度検知部１３ｃは、上述のように温度検知素子１９をランプ２の発光部位から離れた部位の温度を検知することで間接的にランプ２の温度を検知するのではなく、例えば、熱電対等の温度検知素子を発光部位近傍に巻きつけたりして、ランプ２の温度を直接に検知するように構成されていてもよい。また、温度検知部１３ｃは、非接触式の温度検知方法を用いて、ランプ２の温度を直接に検知するように構成されていてもよい。すなわち、第２の実施形態においては、ランプ２の温度を直接的に又は間接的に検知可能な構成を用いて、電流制限回路１３ｂがランプ２の温度が所定値になったときに電流制限を解除することにより、ランプ２のウオームアップ期間を短縮することが可能になる。
【図面の簡単な説明】
【００３３】
【図１】本発明の第１の実施形態に係るプロジェクタの構成の一例を示すブロック図。
【図２】上記プロジェクタのバラストの構成の一例を示すブロック図。
【図３】上記バラストが駆動するランプの電圧の推移を示すグラフ。
【図４】本発明の第２の実施形態に係るプロジェクタのバラストの構成の一例を示すブロック図。
【図５】上記バラストのランプ駆動時に温度検知部により検知される温度の推移を示すグラフ。
【図６】従来のプロジェクタのバラストの構成の一例を示すブロック図。
【図７】上記バラストが駆動するランプの電圧の推移を示すグラフ。
【符号の説明】
【００３４】
１  プロジェクタ
２  ランプ
３，１３  バラスト
３ａ，１３ａ  電力制御部
３ｂ，１３ｂ  電流制限回路
３ｃ  電圧検知部
４  画像形成部
５  信号入力部
７  制御部
１３ｃ  温度検知部
【図１】
2007322456.tif 000003
【図２】
2007322456.tif 000004
【図３】
2007322456.tif 000005
【図４】
2007322456.tif 000006
【図５】
2007322456.tif 000007
【図６】
2007322456.tif 000008
【図７】
2007322456.tif 000009